(57)【要約】  【課題】  複数の記録媒体に対して連続して映像信号を記録し、複数の記録媒体を単一のボリュームとして扱う場合、個々の記録媒体を取り出しても再生することは出来ず、一部の映像信号を再生する場合でも、すべての記録媒体を参照する必要があった。  【解決手段】  複数の記録媒体に順次映像信号をファイル化して記録し、管理情報ファイル別媒体の映像ファイル情報を記録する。また、音声ファイルも映像ファイルと同一の同期した時間記録し、単一の記録媒体のみでも再生が可能とする。【選択図】  図１
2005117454.tif 000002
【特許請求の範囲】
【請求項１】
複数の記録媒体を装着する複数のスロットを備えた映像記録装置であって、
前記複数のスロットに装着された複数の記録媒体の空き容量を検出し、前記記録媒体の空き容量に応じて記録する記録媒体を選択し、入力される映像信号を独立した映像データとして複数の記録媒体に順次記録する映像記録装置。
【請求項２】
空き容量が所定の容量以下の前記記録媒体は記録対象としないように構成した請求項１記載の映像記録装置。
【請求項３】
個々の前記記録媒体には、映像データの情報及び、別の記録媒体に分割して記録された前後の映像データを特定する為の情報を記録する請求項１記載の映像記録装置。
【請求項４】
前記映像データは独立した映像ファイルと音声ファイルとを含み、対応する映像ファイルと音声ファイルの記録時間が等しくなるように前記映像データを記録する請求項３記載の映像記録装置。
【請求項５】
記録動作中においても、既に記録済みの記録媒体を他の記録媒体に交換することを可能とし、前記他の記録媒体が挿入された場合は前記他の記録媒体の空き容量を検出する請求項３記載の映像記録装置。
【請求項６】
前記複数のスロット毎に表示手段を有し、前記記録済みの記録媒体に対しては交換可能な事を表示し、記録中の記録媒体に対しては取り外し禁止を表示する請求項５記載の映像記録装置。
【請求項７】
映像を撮影するカメラ部と、
複数の記録媒体を装着する複数のスロットとを備えたカメラレコーダであって、
前記複数のスロットに装着された複数の記録媒体の空き容量を検出し、前記記録媒体の空き容量に応じて記録する記録媒体を選択し、前記カメラ部で撮影した映像信号を独立した映像データとして複数の記録媒体に順次記録するカメラレコーダ。
【請求項８】
空き容量が所定の容量以下の前記記録媒体は記録対象としないように構成した請求項７記載のカメラレコーダ。
【請求項９】
個々の前記記録媒体には、映像データの情報及び、別の記録媒体に分割して記録された前後の映像データを特定する為の情報を記録する請求項７記載のカメラレコーダ。
【請求項１０】
前記映像データは独立した映像ファイルと音声ファイルとを含み、対応する映像ファイルと音声ファイルの記録時間が等しくなるように前期映像データを記録する請求項９記載のカメラレコーダ。
【請求項１１】
記録動作中においても、既に記録済みの記録媒体を他の記録媒体に交換することを可能とし、前記他の記録媒体が挿入された場合は前記他の記録媒体の空き容量を検出する請求項９記載のカメラレコーダ。
【請求項１２】
前記複数のスロット毎に表示手段を有し、前記記録済みの記録媒体に対しては交換可能な事を表示し、記録中の記録媒体に対しては取り外し禁止を表示する請求項１１記載のカメラレコーダ。
【発明の詳細な説明】
【技術分野】
【０００１】
本発明は、複数の記録媒体に連続して映像および音声を記録することが可能な映像記録装置およびカメラレコーダに関する。
【背景技術】
【０００２】
近年、光ディスクや、半導体メモリなどの記録媒体に、映像信号をファイル化して記録する装置が一般的になり、記録媒体の大容量化に伴い、記録時間も拡大している。しかし、単一の記録媒体の容量は限られるため、複数の記録媒体に映像信号を連続記録し、記録時間の拡大を図る方式が提案されている。
【０００３】
従来の複数の記録媒体に連続して記録する方法としては、複数の光ディスクを交換しながらこれらの光ディスクに映像を途切れなく連続して記録する方法があった。（例えば、特許文献１参照）。前記従来例では、光ディスク記録装置内にサブディスクを設けることによって、メインディスクを入れ替えている間にも録画を継続できるものであり、メインディスクを順次入れ替えることにより、長時間の記録を実現するものである。さらに、光ピックアップがメインディスクとサブディスクとの間の移動中においても、バッファメモリによって、連続して入力されてくるＴＶ放送の映像音声信号などの記録データを、欠落させることなく録画できるものであった。
【特許文献１】特開平１０−１０６１５２号公報
【発明の開示】
【発明が解決しようとする課題】
【０００４】
しかしながら、上記のような記録方法では、録画時に複数のメインディスクおよびサブディスクのそれぞれの録画開始アドレスと録画終了アドレスとを情報メモリに格納し、再生時はこの内容に従って順次再生するという構成のため、連続記録された複数の記録媒体のみを取り出し、別の装置で連続再生する事は困難であった。
【課題を解決するための手段】
【０００５】
本発明は前記従来の課題を解決するもので、複数の記録媒体に連続して映像信号を映像ファイルとして記録する映像記録装置において、映像信号を記録する際に個々の記録媒体に記録時間を分割して独立した映像ファイルとして順次記録すると共に、映像ファイルの情報を示す管理情報ファイルを個々の記録媒体に記録し、前記管理情報ファイルには他の記録媒体に記録される前後の映像ファイルの情報を記録する。
【発明の効果】
【０００６】
本構成によって、複数の記録媒体にまたがって記録されている連続した映像を別の装置で再生する場合でも、前記管理情報を参照することで、個々の映像ファイルの前後関係が明確になり、複数記録媒体を使用した連続再生が可能になる。また、個々の記録媒体の映像ファイルは独立しているため、記録媒体単独でもその中に記録された映像の再生が可能である。
【０００７】
本発明のカメラレコーダおよび映像記録装置では、個々の記録媒体について映像信号の記録が完了する時点で、前後の映像ファイルの情報は確定しており、管理情報ファイルの記録も完了する事が出来る。したがって記録済みの媒体を新規の媒体と逐次交換することで時間制限の無い連続記録動作が可能となる。
また、複数の記録媒体に連続して記録する場合、個別の記録媒体のファイルは独立しており、個々の記録媒体１個のみを取り出した場合でも、クリップとして再生する事が可能である。そして、管理情報に前後のクリップの情報を記録するため、複数のクリップを結合して連続再生をすることが容易に可能である。
【発明を実施するための最良の形態】
【０００８】
以下、図面を参照しながら本発明の実施例を説明する。
【０００９】
（実施の形態１）
図１は、本発明の実施の形態のカメラレコーダの構成を示す。映像記録再生装置は、システム制御部１０１と、Ｉ／Ｏバス１２１と、着脱可能な複数の記録メモリ１１１〜１１４と、記録メモリと接続するＰＣＭＣＩＡ  Ｉ／Ｆ部１１０と、ファイルの記録や再生を指示する入力手段１３０と、ＣＣＤなどにより映像を入力するカメラ部１２７と撮影した映像信号の処理をおこなう映像処理手段１３２と、映像信号の符号化を行うエンコーダ１３１と、音声信号を入力するマイク部１３８と、入力した音声信号の処理を行う音声処理手段１３５と、映像信号を復号化するデコーダ１３３と、復号された映像信号を出力する映像出力手段１３４と、音声信号を出力する音声出力手段１３６と、機器の動作状態を示す表示部１３９を含む。
【００１０】
記録メモリ１１１〜１１４はＰＣＭＣＩＡの形状で脱着可能な構成となっており、スロット１から４までの４個のスロットを持つＰＣＭＣＩＡ  Ｉ／Ｆ部１１０とはＰＣカード規格により接続される。
【００１１】
システム制御部１０１は、例えば、マイコンとメモリとによって実現される。システム制御部１０１に含まれる各手段は、マイコンが各種のプログラムを実行することによって実現される。システム制御部１０１に含まれる各メモリは、例えば、単一のメモリを用途ごとに領域を分けて使うことによって実現される。
【００１２】
カメラ部１３７にて入力された映像信号は、映像処理部１３２にて記録に適した処理が行われたのち、エンコーダ１３１にて例えばＳＭＰＴＥ−３１４Ｍ（ＤＶ−Ｂａｓｅｄ  ２５Ｍ）の圧縮処理により約１／５の符号量に圧縮される。映像ファイル処理１０２では圧縮されたＳＭＰＴＥ−３１４Ｍの圧縮データを１フレーム単位を基準としてファイル化する（ＤＩＦ形式ファイル）。ＮＴＳＣの場合、ＤＩＦ形式ファイルは１フレームあたりのデータ量は固定量の１２００００Ｂｙｔｅとなる。
【００１３】
図２（ａ）にＤＩＦ形式ファイルの構造を示す。ファイルのヘッダ等は無く、フレームの順に圧縮データが並んでいる構造であるため、Ｎフレーム記録時のファイルサイズは上記１フレームあたりの符号量のＮ倍となる。
【００１４】
また、ＤＩＦ形式ファイルの中では音声２チャンネルを格納出来るが、本実施の形態ではＤＩＦ形式ファイル内の音声データは使用せず、別ファイルとして記録する。これは、放送局などの業務用途の編集作業では、映像と音声を独立して編集作業を行う事が多く、業務用途のノンリニア編集機では映像と音声を別ファイルとするのが一般的である為である。
【００１５】
マイク部１３８にて入力された音声データは音声処理手段１３５にて記録に適した処理が行われた後、音声ファイル処理１０３にてＷａｖｅ形式でファイル化される。Ｗａｖｅ形式ファイルの一例を図２（ｂ）に示す。Ｗａｖｅファイルは、ＲＩＦＦ（Ｒｅｓｏｕｒｃｅ  Ｉｎｔｅｒｃｈａｎｇｅ  Ｆｉｌｅ  Ｆｏｒｍａｔ）の一つであり複数のチャンクで構成されている。各チャンクは４文字のＩＤ（ＡＳＣＩＩ  ４Ｂｙｔｅ）と４バイトのチャンクデータサイズ、そして実際のチャンクデータで構成される。ファイルの先頭にはＲＩＦＦチャンクがあり、Ｗａｖｅ形式である事を表している。ｆｍｔチャンクではファイルに格納されている音声データのサンプル周波数、量子化数などの構造が格納されている。ｄａｔａチャンクには、チャンクＩＤとチャンクサイズ（合計８Ｂｙｔｅ）に続いて実際の音声データが格納されている。音声の量子化数を１６ｂｉｔとした場合のファイルサイズは以下の様になる。
【００１６】
ＲＩＦＦ  ＋  ｆｍｔ  ＋８  ＋（Ｍ×（１６／８））  Ｂｙｔｅ
ＲＩＦＦ＝ＲＩＦＦチャンクのバイト数
ｆｍｔ  ＝ｆｍｔチャンクのバイト数
Ｍ      ＝音声データの総サンプル数
１つの音声ファイルには１チャンネルの音声だけを記録する。従って、記録する音声のチャンネル数が２チャンネルの場合は、Ｗａｖｅファイルをチャンネル毎に独立して２個記録する。
【００１７】
記録メモリ１１１〜１１４はＦＡＴ１６やＦＡＴ３２等のファイルシステムでフォーマットされており、記録メモリへのファイルの書き込みは、システム制御部内のファイルシステム１０６によりＦＡＴの管理情報の更新と、記録メモリへのデータ書き込み動作により行われる。
【００１８】
記録メモリ１１１〜１１４のそれぞれの空き容量は記録メモリ処理手段１０５が個々の記録メモリの空き容量をファイルシステム１０６で確認することにより認識しており、映像音声記録時における複数の記録メモリの中からの記録対象メモリの指定は記録メモリ処理手段１０５によって行う。
【００１９】
映像と音声の記録動作は、入力手段１３０からの指示に従って行う。記録開始の指示があった場合は、映像を記録する１個のＤＩＦ形式映像ファイルと、音声を記録する２個のＷａｖｅ形式音声ファイルをオープンし、データを記録していく。この際、映像の記録開始時刻と音声の記録開始時刻は同期して行う。
【００２０】
また、記録メモリへのデータ書き込みは、記録動作の停止指示があった場合に終了し、上記ファイルをそれぞれクローズする。従って、この１連続の記録動作（１クリップ）の実行により映像ファイル１個と音声ファイル２個が新規に作成される。ここで、記録時における映像ファイルと音声ファイルの同期を図３に示す。フレーム周波数２９．９７ＨｚのＮＴＳＣの場合、音声のサンプル周期を４８ｋＨｚとすると１フレーム分の時間での音声サンプル数は整数とならず、５フレーム分の時間で整数（８００８サンプル）となる。音声のＷａｖｅ形式ファイルでは映像のフレーム周期は記述しないが、映像との同期をとる為、５フレーム周期でフレームあたりのサンプル数を、１６００、１６０２、１６０２、１６０２、１６０２と変化させてカウントし、記録開始から終了までのサンプル数をこの５フレームを基準に算出する。この５フレームの繰り返しの位相をシーケンスＮＯ．で表し、シーケンスＮＯ．は０〜４の繰り返しとなる。従って、１フレームあたりの音声のデータサイズ（２チャンネル分）は以下のようになる。
【００２１】
１６００×２  Ｂｙｔｅ  （シーケンスＮＯ．＝０）
１６０２×２  Ｂｙｔｅ  （シーケンスＮＯ．＝１、２、３、４）
これらの式により、所定のフレーム数のＷａｖｅ形式ファイルのファイルサイズを算出する事が可能になる。また、記録開始時のシーケンスＮＯ．は０とする。
【００２２】
また、クリップ記録終了の際には、クリップの管理情報が記述されているＩｎｄｅｘファイルの更新がＩｎｄｅｘファイル処理１０４により行われる。図４にＩｎｄｅｘファイルと映像ファイル、音声ファイル、クリップの関係を示す。
【００２３】
Ｉｎｄｅｘファイルは記録メモリ１個に付き１ファイルが記録され、記録メモリ内に含まれるクリップの情報、クリップと映像ファイル、音声ファイルのリンク関係等を表す。
【００２４】
図５にＩｎｄｅｘファイルの記述の一例、図６にＩｎｄｅｘファイルの各要素を示す。Ｉｎｄｅｘファイルには、記録メモリ固有の情報を表すＭｅｄｉａ  Ｉｎｄｅｘとクリップ毎の固有の情報を表すＣｌｉｐ  Ｉｎｄｅｘの２階層のデータが含まれ、それぞれ図６に表される要素を記述している。Ｉｎｄｅｘファイルはテキスト形式のファイルとして記録され、それぞれの要素はカンマで区切られている。
【００２５】
Ｍｅｄｉａ  Ｉｎｄｅｘ中のＭｅｄｉａ  ＩＤはメディア毎にユニークとなる様に付加されるＩＤであり、例えばメディアをフォーマットする際に、フォーマット時の時刻及び機器のＩＤ等の組み合わせにより固有のＩＤを付加する事が出来る。
【００２６】
Ｍｅｄｉａ  Ｔｉｔｌｅはユーザが任意に付加する事の出来るメディア固有のタイトルであり、ユーザが認識し易い名前を自由に付加する事が出来る。機器内でのメディアの特定はＭｅｄｉａ  ＩＤによるため、Ｍｅｄｉａ  Ｔｉｔｌｅは映像ファイルや音声ファイルが記録された状態でも自由に変更する事が可能である。
【００２７】
Ｃｌｉｐ  Ｉｎｄｅｘ中のＣｌｉｐ  ＩＤは同一メディア内でクリップ毎にユニークとなる様に付加されるＩＤであり、例えばクリップの記録をする際に、記録開始時の時刻及び機器のＩＤ等の組み合わせにより固有のＩＤを付加する事が出来る。映像ファイルおよび音声ファイルとクリップとの関連付けはこのＣｌｉｐ  ＩＤをファイル名に記述する事で行う。例えばＣｌｉｐ  ＩＤがＣ００１の映像ファイルはＣ００１．ＤＩＦとし、音声２ＣＨ分のファイルはそれぞれＣ００１＿１．ＷＡＶ、Ｃ００１＿２．ＷＡＶとする事でクリップと映像及び音声ファイルとの関連付けが出来る。
【００２８】
Ｃｌｉｐ  Ｔｉｔｌｅはユーザが任意に付加する事の出来るクリップ固有のタイトルであり、ユーザが認識し易い名前を自由に付加する事が出来る。機器内でのクリップの特定はＣｌｉｐ  ＩＤによるため、Ｃｌｉｐ  Ｔｉｔｌｅは映像ファイルや音声ファイルが記録された状態でも自由に変更する事が可能である。
【００２９】
ＵＭＩＤ（Ｕｎｉｑｕｅ  Ｍａｔｅｒｉａｌ  Ｉｄｅｎｔｉｆｉｅｒ）はＳＭＰＴＥ３３０にて規定されている素材を特定する為のＩＤであり、Ｃｌｉｐ単位でユニークなＵＭＩＤを設定する。
【００３０】
Ｆｒｍａｅ  Ｒａｔｅは映像信号のフレーム周波数を表し、Ｄｕｒａｔｉｏｎはクリップに含まれるフレーム数を表す。また、Ｆｒａｍｅ  ＲａｔｅとＤｕｒａｔｉｏｎによりクリップ全体の記録時間を計算する事が可能である。
【００３１】
Ｓｅｑｕｅｎｃｅ  ＮＯ．はクリップ先頭でのシーケンスＮＯ．を表し、記録開始時刻とクリップの先頭が同一となる通常の記録動作では０となるが、複数の記録メモリに連続記録する場合は０以外の値となる場合がある（後述する）。
【００３２】
Ｏｆｆｓｅｔは記録開始からクリップの先頭までの時間を表し、Ｓｅｑｕｅｎｃｅ  ＮＯ．と同様に、記録開始時間とクリップの先頭が同一となる通常の記録動作では０となるが、複数の記録メモリに連続記録する場合は０以外の値となる（後述する）。
【００３３】
Ｐｒｅｖｉｏｕｓ  Ｃｌｉｐ、Ｎｅｘｔ  Ｃｌｉｐについても説明は後述する。
【００３４】
以下、複数の記録メモリにわたって連続記録する動作について説明する。
【００３５】
記録を開始する直前では、４個の記録メモリの状態は図７に示す様になっているとする。図７は、各記録メモリの内部のファイル構成を示している。記録メモリ１１１（Ｍｅｄｉａ  ＩＤ  Ｍ００１）には、記録時間がＴ０（フレーム）であるＣｌｉｐ  ＩＤ  Ｃ００１が記録されており、ファイルとしては、映像ファイルＣ００１．ＤＩＦ、音声ファイルＣ００１＿１．ＷＡＶおよびＣ００１＿２．ＷＡＶ、そしてＩｎｄｅｘファイルＩｎｄｅｘ．ｔｘｔが記録されており、それ以外は空き領域である。記録メモリ１１３（Ｍｅｄｉａ  ＩＤ  Ｍ００３）には同様に記録時間がＴ１０（フレーム）であるＣｌｉｐ  ＩＤ  Ｃ００１が記録されており、空き容量はほとんど無い状態である。
【００３６】
記録メモリ１１２（Ｍｅｄｉａ  ＩＤ  Ｍ００２）、および１１４（Ｍｅｄｉａ  ＩＤ  Ｍ００４）にはＩｎｄｅｘファイルＩｎｄｅｘ．ｔｘｔのみが記録されている。また、図８に記録時の映像ファイルと音声ファイル及びクリップの関係を示す。
【００３７】
映像記録を開始するにあたっては、カメラレコーダでの記録等のように、記録終了までの時間が確定していない事が多い。従って記録動作の開始時点では１個の記録メモリ内で記録が終了するかどうかは不明である。しかし前述した様に１フレームあたりの映像ファイルと音声ファイルのデータ量は確定している為、記録メモリ１１１に記録する時点で記録メモリ１１１に記録出来る時間Ｔ１（フレーム）は計算する事が出来る。ここで、Ｔ１はＭｅｄｉａ  ＩＤ  Ｍ００１において現在の空き領域に映像ファイルおよび音声ファイル２ＣＨを全て記録出来る最大の時間である。
【００３８】
同様に記録メモリ１１２、１１３、１１４についても記録時間を計算し、空き領域が所定の時間Ｔｘを下回る記録メモリには記録せず、次の記録メモリに記録を行う。
【００３９】
これは、記録する映像音声を極端に時間の短いファイルに分割すると、１回の記録動作で使用する記録メモリの個数を増やすこととなり、他の機器に複数のメディアを移動して再生する場合などにハンドリングが悪化するため、これを防ぐためである。ただし、なるべく記録メモリの交換を減らしたい場合等は、Ｔｘ＝０であっても良い。
【００４０】
本実施の形態では、記録メモリ１１１（Ｍｅｄｉａ  ＩＤ  Ｍ００１）に対して新規のクリップ（ＣｌｉｐＩＤ Ｃ００２）を作成して記録を開始する。そして記録中に記録時間がＴ１（フレーム）を超える場合は、Ｍｅｄｉａ  ＩＤ  Ｍ００１でのＣｌｉｐ  ＩＤ  Ｃ００２は終了し、新規の記録メモリ（Ｍｅｄｉａ  ＩＤ  Ｍ００２）に新規のクリップ（Ｃｌｉｐ  ＩＤ  Ｃ００１）を作成し、連続して記録する。記録メモリ１１２（Ｍｅｄｉａ  ＩＤ  Ｍ００２）の空き領域がなくなって記録が終了した場合、前述した様に記録メディア１１３（Ｍｅｄｉａ  ＩＤ  Ｍ００３）には所定の時間以上の空き領域がないため記録せず、空き容量のある記録メモリ１１４（Ｍｅｄｉａ  ＩＤ  Ｍ００４）に記録する事とする。
【００４１】
また、フレーム単位の音声ファイルのサンプル数を示すＳｅｑｕｅｎｃｅＮＯ．はＭｅｄｉａ  ＩＤ  Ｍ００１の記録メモリ中のＣｌｉｐ  ＩＤ  Ｃ００２とＭｅｄｉａ  ＩＤ  Ｍ００２の記録メモリ中のＣｌｉｐ  ＩＤ  Ｃ００１とで連続となる様に記録する。図８では、Ｍｅｄｉａ  ＩＤ  Ｍ００１の記録メモリ中のＣｌｉｐ  ＩＤ  Ｃ００２におけるＳｅｑｕｅｎｃｅＮＯ．は３で終了している。したがって、続きの映像音声を記録するＭｅｄｉａ  ＩＤ  Ｍ００２の記録メモリ中のＣｌｉｐ  ＩＤ  Ｃ００１におけるＳｅｑｕｅｎｃｅＮＯ．は４から開始することになる。
【００４２】
Ｍｅｄｉａ  ＩＤ  Ｍ００２の記録メモリにおいても予め計算されている記録可能な時間Ｔ２フレームを超えた場合は、Ｍｅｄｉａ  ＩＤ  Ｍ００４の記録メモリに連続して記録を行う。この場合もＳｅｑｕｅｎｃｅＮＯ．は、Ｍｅｄｉａ  ＩＤ  Ｍ００２の記録メモリのＣｌｉｐ  ＩＤ  Ｃ００１とＭｅｄｉａ  ＩＤ  Ｍ００４の記録メモリ中のＣｌｉｐ  ＩＤ  Ｃ００１とで連続となる様に記録する。
【００４３】
Ｍｅｄｉａ  ＩＤ  Ｍ００４の記録メモリでの記録時間がＴ３フレームで終了した場合、図８に示す様に３個のメディアに渡る３個のクリップとして記録されている。それぞれの記録メモリに記録されたファイルを図９に示す。また、図１０にそれぞれの記録メモリにおけるＩｎｄｅｘファイルの内容を示す。
【００４４】
図６に示すＩｎｄｅｘファイル内の各要素の中でＣｌｉｐ  Ｉｎｄｅｘ中のＰｒｅｖｉｏｕｓ  Ｃｌｉｐは、そのクリップの直前に接続するクリップのＭｅｄｉａ  ＩＤとＣｌｉｐ  ＩＤを示し、Ｎｅｘｔ  Ｃｌｉｐは直後に接続するＭｅｄｉａ  ＩＤとＣｌｉｐ  ＩＤを示す。従って図１０に示す様に、３個の記録メモリに分割された３個のクリップはＩｎｄｅｘファイルにより以下の接続情報を表す事が出来る。
【００４５】
・Ｐｒｅｖｉｏｕｓ  Ｃｌｉｐ
Ｍｅｄｉａ  ＩＤ  Ｍ００２  Ｃｌｉｐ  ＩＤ  Ｃ００１の直前のクリップ
＝  Ｍｅｄｉａ  ＩＤ  Ｍ００１  Ｃｌｉｐ  ＩＤ  Ｃ００２
Ｍｅｄｉａ  ＩＤ  Ｍ００４  Ｃｌｉｐ  ＩＤ  Ｃ００１の直前のクリップ
＝  Ｍｅｄｉａ  ＩＤ  Ｍ００２  Ｃｌｉｐ  ＩＤ  Ｃ００１
・Ｎｅｘｔ  Ｃｌｉｐ
Ｍｅｄｉａ  ＩＤ  Ｍ００１  Ｃｌｉｐ  ＩＤ  Ｃ００２の直後のクリップ
＝  Ｍｅｄｉａ  ＩＤ  Ｍ００２  Ｃｌｉｐ  ＩＤ  Ｃ００１
Ｍｅｄｉａ  ＩＤ  Ｍ００２  Ｃｌｉｐ  ＩＤ  Ｃ００１の直後のクリップ
＝  Ｍｅｄｉａ  ＩＤ  Ｍ００４  Ｃｌｉｐ  ＩＤ  Ｃ００１
また、Ｏｆｆｓｅｔには記録開始時から、そのＣｌｉｐの先頭の時間をフレーム単位で記述するため、連続した複数のクリップの中で、先頭のクリップ（Ｍｅｄｉａ  ＩＤ  Ｍ００１  Ｃｌｉｐ  ＩＤ  Ｃ００２）は０となり、２番目のクリップ（Ｍｅｄｉａ  ＩＤ  Ｍ００２  Ｃｌｉｐ  ＩＤ  Ｃ００１）はＴ１、３番目のクリップ（Ｍｅｄｉａ  ＩＤ  Ｍ００４  Ｃｌｉｐ  ＩＤ  Ｃ００１）はＴ１＋Ｔ２となる。
【００４６】
また、連続する３個のクリップのＵＭＩＤについては、図１０に示す様に（ＵＭＩＤ１）として同一のＩＤを与える事により、後の編集工程等で３個のクリップを連結する際にＵＭＩＤの統一性を保つ事が出来る。
【００４７】
次に、記録中に記録メモリを交換する事により長時間連続記録を行う方法について説明する。図１１にメモリ交換を指示する表示手段の一例を示す。図１１において「記録中」ランプが点灯している記録メモリは記録動作が行われている状態であり、交換を禁止する（交換不可能である）事を示している。また、「記録済み」」ランプが点灯している記録メモリは空き容量が無い状態まで記録が終了し、交換が可能な事を示している。
【００４８】
記録を開始する直前の各記録メモリの状態が図７に示す通りである場合、記録を開始した時点での表示手段の状態は図１１  Ａ）の様になる。記録動作が連続して行われることにより記録メモリ１１１及び記録メモリ１１２の全容量まで映像音声が記録され、記録メモリ１１４に記録途中である時点では、各記録メモリ内は図９に示す状態であり、表示手段の状態は図１１  Ｂ）の様になる。これは、スロット１〜３の記録メモリ１１１、１１２、１１３は既に記録済みであり、交換が可能な事を示している。また、記録メモリ１１４は記録中であり、取り外してはいけない事を示している。
【００４９】
ここで、スロット１〜３の記録メモリを空き容量のある新しい記録メモリと交換する。記録メモリの交換に際しては記録済みの記録メモリを抜く時にＰＣＭＣＩＡのアンマウント処理を行う。アンマウント処理を行う前には映像ファイル及び音声ファイルはクローズし、Ｉｎｄｅｘファイルの更新も完了しておく。また、新しい記録メモリを装着した時にマウント処理を実行する。この間も別スロットである記録メモリ１１４では記録動作を連続して行う事が可能である。
【００５０】
図１２に記録メモリ交換後の各記録メモリの状態を示す。記録メモリ１１１〜１１３は新規の記録メモリであり、マウント処理時にそれぞれ新規のＩｎｄｅｘファイルの作成を行う。Ｉｎｄｅｘファイルの作成においてＭｅｄｉａ  ＩＤは各記録メモリに固有のＩＤを付与する。図１２では記録メモリ１１１〜１１３に対してそれぞれＭｅｄｉａ  ＩＤ  Ｍ００５、Ｍ００６、Ｍ００７を付与している。この事により、交換前にスロットに装着されていたＭｅｄｉａ  ＩＤ  Ｍ００１〜Ｍ００３と容易に区別する事が可能である。
【００５１】
」記録動作をＴ３（フレーム）以上継続し、記録時間がＴ４（フレーム）の時点で記録メモリ１１４の空き容量が無くなると、前記に示したのと同様の記録先の切り替え動作を行った後、交換後の新しい記録メモリ１１１（Ｍｅｄｉａ  ＩＤ  Ｍ００５）への書き込みを行う。さらに、記録メモリ１１１での容量が無くなった時点で同様に記録メモリ１１２への書き込みを行う。記録メモリ１１２への書き込み途中で記録が終了した場合の、各記録メモリに記録されたファイルの状態を図１３に示す。
【００５２】
また、図１４、１５にそれぞれの記録メモリにおけるＩｎｄｅｘファイルの内容を示す。図１４、１５に示す様に、Ｍｅｄｉａ  ＩＤ  Ｍ００１、Ｍ００２、Ｍ００４、Ｍ００５、Ｍ００６の５個の記録メモリに分割された５個のクリップはＩｎｄｅｘファイルにより、以下の接続情報を表す事が出来る。
・Ｐｒｅｖｉｏｕｓ  Ｃｌｉｐ
Ｍｅｄｉａ  ＩＤ  Ｍ００２  Ｃｌｉｐ  ＩＤ  Ｃ００１の直前のクリップ
＝  Ｍｅｄｉａ  ＩＤ  Ｍ００１  Ｃｌｉｐ  ＩＤ  Ｃ００２
Ｍｅｄｉａ  ＩＤ  Ｍ００４  Ｃｌｉｐ  ＩＤ  Ｃ００１の直前のクリップ
＝  Ｍｅｄｉａ  ＩＤ  Ｍ００２  Ｃｌｉｐ  ＩＤ  Ｃ００１
Ｍｅｄｉａ  ＩＤ  Ｍ００５  Ｃｌｉｐ  ＩＤ  Ｃ００１の直前のクリップ
＝  Ｍｅｄｉａ  ＩＤ  Ｍ００４  Ｃｌｉｐ  ＩＤ  Ｃ００１
Ｍｅｄｉａ  ＩＤ  Ｍ００６  Ｃｌｉｐ  ＩＤ  Ｃ００１の直前のクリップ
＝  Ｍｅｄｉａ  ＩＤ  Ｍ００５  Ｃｌｉｐ  ＩＤ  Ｃ００１
・Ｎｅｘｔ  Ｃｌｉｐ
Ｍｅｄｉａ  ＩＤ  Ｍ００１  Ｃｌｉｐ  ＩＤ  Ｃ００２の直後のクリップ
＝  Ｍｅｄｉａ  ＩＤ  Ｍ００２  Ｃｌｉｐ  ＩＤ  Ｃ００１
Ｍｅｄｉａ  ＩＤ  Ｍ００２  Ｃｌｉｐ  ＩＤ  Ｃ００１の直後のクリップ
＝  Ｍｅｄｉａ  ＩＤ  Ｍ００４  Ｃｌｉｐ  ＩＤ  Ｃ００１
Ｍｅｄｉａ  ＩＤ  Ｍ００４  Ｃｌｉｐ  ＩＤ  Ｃ００１の直後のクリップ
＝  Ｍｅｄｉａ  ＩＤ  Ｍ００５  Ｃｌｉｐ  ＩＤ  Ｃ００１
Ｍｅｄｉａ  ＩＤ  Ｍ００５  Ｃｌｉｐ  ＩＤ  Ｃ００１の直後のクリップ
＝  Ｍｅｄｉａ  ＩＤ  Ｍ００６  Ｃｌｉｐ  ＩＤ  Ｃ００１
また、Ｍｅｄｉａ  ＩＤ  Ｍ００１、Ｍ００２、Ｍ００４、Ｍ００５、Ｍ００６のそれぞれに記録されたフレーム時間をＴ１、Ｔ２、Ｔ４、Ｔ５、Ｔ６とすると、Ｏｆｆｓｅｔには記録開始時から、そのＣｌｉｐの先頭の時間をフレーム単位で記述するため、連続した複数の中で、先頭のクリップ（Ｍｅｄｉａ  ＩＤ  Ｍ００１  Ｃｌｉｐ  ＩＤ  Ｃ００２）は０となり、２番目のクリップ（Ｍｅｄｉａ  ＩＤ  Ｍ００２  Ｃｌｉｐ  ＩＤ  Ｃ００１）はＴ１、３番目のクリップ（Ｍｅｄｉａ  ＩＤ  Ｍ００４  Ｃｌｉｐ  ＩＤ  Ｃ００１）はＴ１＋Ｔ２、４番目のクリップ（Ｍｅｄｉａ  ＩＤ  Ｍ００５  Ｃｌｉｐ  ＩＤ  Ｃ００１）はＴ１＋Ｔ２＋Ｔ４、５番目のクリップ（Ｍｅｄｉａ  ＩＤ  Ｍ００６  Ｃｌｉｐ  ＩＤ  Ｃ００１）はＴ１＋Ｔ２＋Ｔ４＋Ｔ５となる。
【００５３】
また、連続する５個のクリップのＵＭＩＤについては、図１０に示す様に（ＵＭＩＤ１）として同一のＩＤを与える事により、後の編集工程等で５個のクリップを連結する際にＵＭＩＤの統一性を保つ事が出来る。
【００５４】
この様な構成により、複数の記録メモリに連続して映像を記録した場合でも、個別の記録メモリのＩｎｄｅｘファイルを参照する事で、前後に相当する記録メモリのクリップを特定する事が可能であり、連続クリップの再生が容易になる。
【００５５】
また、記録開始からクリップ先頭までの時間をＯｆｆｓｅｔにより得る事が出来るため、一部のクリップしか得られない場合でも、連続記録の時間を知ることができる。
【００５６】
さらに、記録済みの記録メモリを新しい記録メモリと交換する事により、連続記録動作を時間の制限無しに行う事が可能となる。その場合においても、Ｍｅｄｉａ  ＩＤがユニークである為、別の機器で再生する場合においても、複数の記録メディアにクリップに分割された連続記録素材を連続再生する事が可能である。さらにクリップの関連付けはＭｅｄｉａ  ＩＤに従って行う為、記録時のスロット番号に依存する事無く再生が可能である。
【００５７】
なお、本実施の形態では圧縮方式としてＳＭＰＴＥ−３１４Ｍについて説明したが、フレーム内で固定長の圧縮方式であれば同様の効果が得られる事は明らかである。
【産業上の利用可能性】
【００５８】
本発明にかかるカメラレコーダおよび映像記録装置は、複数の記録媒体を交換しながら長時間の記録を可能とし、記録容量の限られた半導体メモリを応用した映像記録機器に広く適用可能である。
【図面の簡単な説明】
【００５９】
【図１】カメラレコーダの構成を表す図
【図２】記録される映像ファイルおよび音声ファイルの構成を示す図
【図３】映像フレームと音声のサンプル数の関係を示す図
【図４】Ｉｎｄｅｘファイルによるクリップと映像ファイルおよび音声ファイルの関係を示す図
【図５】Ｉｎｄｅｘファイルの構造を示す図
【図６】Ｉｎｄｅｘファイルの各要素を示す図
【図７】記録メモリの内容を示す図
【図８】各記録メモリの内容と映像および音声ファイルの構成を示す図
【図９】記録動作終了後の記録メモリの内容を示す図
【図１０】Ｉｎｄｅｘファイルの内容を示す図
【図１１】表示部の動作を表す図
【図１２】記録メモリの内容を示す図
【図１３】記録メモリの内容を示す図
【図１４】Ｉｎｄｅｘファイルの内容を示す図
【図１５】Ｉｎｄｅｘファイルの内容を示す図
【符号の説明】
【００６０】
１０１  システム制御部
１０２  映像ファイル処理手段
１０３  音声ファイル処理手段
１０４  Ｉｎｄｅｘファイル処理手段
１０５  記録メモリ処理手段
１０６  ファイルシステム
１０７  ファイルシステム用メモリ
１０８  記録バッファメモリ
１０９  再生バッファメモリ
１１０  記録メモリＩ／Ｆ  
１１１、１１２、１１３、１１４  記録メモリ
１２１  Ｉ／Ｏバス
１３０  入力手段
１３１  エンコーダ
１３２  映像処理手段
１３３  デコーダ
１３４  映像出力手段
１３５  音声処理手段
１３６  音声出力手段
１３７  カメラ
１３８  マイク
【図１】
2005117454.tif 000003
【図２】
2005117454.tif 000004
【図３】
2005117454.tif 000005
【図４】
2005117454.tif 000006
【図５】
2005117454.tif 000007
【図６】
2005117454.tif 000008
【図７】
2005117454.tif 000009
【図８】
2005117454.tif 000010
【図９】
2005117454.tif 000011
【図１０】
2005117454.tif 000012
【図１１】
2005117454.tif 000013
【図１２】
2005117454.tif 000014
【図１３】
2005117454.tif 000015
【図１４】
2005117454.tif 000016
【図１５】
2005117454.tif 000017